(57)【特許請求の範囲】
【請求項１】
境界ブロックの長手方向端部の一端に脚部を設け、中間部を浮かせて設置面との間に隙間部を設けてなる境界ブロックにおいて、脚部を境界ブロックの長手方向端面から突出させて段部をブロック本体と一体に形成し、ブロック本体の長手方向他端に、張出した段部に載置する下面の切欠部を設けた境界ブロック。
【請求項２】
脚部の、ブロック本体の長手方向一端に設けた張出した段部に対して高さ調整用ボルトを上方から調整可能に螺入してなる請求項１記載の境界ブロック。
【請求項３】
ブロック本体の長手方向他端に設けた下面の切欠部に、高さ調整用ボルトのボルト頭を収容する収容穴を設けた請求項２記載の境界ブロック。
【請求項４】
脚部の、ブロック本体の長手方向一端に設けた張出した段部に、高さ調整用ボルトのボルト頭を収容する陥没穴を設けた請求項３記載の境界ブロック。
【請求項５】
請求項１から４のいずれかに記載の境界ブロックの施工方法であって、境界ブロックの他端の下面の切欠部を前作業によって設置している境界ブロックの段部に載置して基礎施工面上に境界ブロックの中間部を浮かせて隙間部を形成するよう載置した境界ブロックを、脚部の高さ調節をしながら順次長手方向に配置して位置決めをした後、型枠を設置し、型枠内にコンクリートを打設して、捨てコンクリート層とその上のモルタル層及び巻立てコンクリート層の部分を一挙に打設することを特徴とする境界ブロックの施工方法。
【発明の詳細な説明】
【０００１】
【発明の属する技術分野】
本発明は、境界ブロック及びその施工方法に関するものであって、特に道路における歩道と車道の境界(縁石)や中央分離帯等に複数個で使用される境界用のプレキャストコンクリートブロック(以下境界ブロックと称す)とそれを用いる施工方法に関するものである。
【０００２】
【従来の技術】
従来、歩車道境界や縁石を境界ブロックによって形成するには、整地され水準が適度に整えられた施工面に対して、水糸を張ってレベル出しをし、境界ブロックの単体を順次調整モルタルによる高さ調整や水糸によって境界線に正確に沿わせながら設置し、１cm幅程度に形成される目地を埋めながら施工していくのが一般的であった。施工面からみると、従来のこのようなブロック単体の施工方法は非能率的であった。この非能率的な点を本発明者らは先に、境界ブロックの底面に上下調整ボルトを設けて、調整モルタルを不要にして特願平7-150332号で提案している。
【０００３】
【発明が解決しようとする課題】
本発明は、水糸を張ってレベル出し後の施工に更に検討を加え、より能率的な施工を可能にする境界ブロック及び、その施工方法を提供しようとするものである。
【０００４】
【課題を解決するための手段】
本発明の境界ブロックは、境界ブロックの長手方向端部の一端に脚部を設け、中間部を浮かせて設置面との間に隙間部を設けてなるものである。車道と歩道や駐車場のように、区画と区画、あるいは領域と領域の境に使用される、長さの割には横幅が狭いもので、長さが61cmから244cm程度のものが使い勝手がよいが、その場合でも幅は18〜21cmと狭い。
【０００５】
脚部を境界ブロックの一端に設け、かつ、長手方向端面から突出させて段部を本体ブロックと一体に形成したものである。
【０００６】
また、脚部の、ブロックの長手方向一端に設けた張出した段部に対して高さ調整用ボルトを上方から調整可能に螺入し、ブロックの他端には前記張出した段部に載置する下面の切欠部を設けた構造も好適である。
【０００７】
更に、本発明の境界ブロックの施工方法は、基礎施工面上に境界ブロックの中間部を浮かせて隙間部を形成するよう載置した境界ブロックを脚部の高さ調節をしながら順次長手方向に配置して位置決めをした後、型枠を設置し、型枠内にコンクリートを打設して境界ブロックの脚部により形成された中間の隙間部を含め、捨てコンクリート層とその上のモルタル層及び巻立てコンクリート層の部分を一挙に打設することを特徴とする。
【０００８】
【発明の実施の形態】
図１,図２は本発明の境界ブロックの一脚の例を示している。この例は、脚部２を境界ブロック１の一端に設け、かつ、境界ブロックの長手方向端面から突出させて段部３を本体ブロックと一体に形成している。他端は前作業によって水糸５に沿って設置している境界ブロックの段部３へ載せることにより設置面との間に隙間部４が設けられるようになっている。設置に際して脚部２の部分で高さ調整するが、高さ調整手段としては、高さ調整コンクリートや砂利等でも構わないが、クサビ６を用いるのが便利である。
【０００９】
この段部へ載せる一脚構造は図３のように境界ブロックの一端へ切欠部７を形成している。
【００１０】
これらの境界ブロック１の施工方法を図１及び図２によって説明すると、水糸５を張った後、栗石等基礎材を敷き詰めた基礎施工面10上に境界ブロック１の中間部を浮かせて隙間部を形成するよう脚部で直接載置した境界ブロック１をクサビ６などで脚部２の高さ調節をしながら順次長手方向に配置して位置決めをした後、型枠11を設置し、型枠内にコンクリート12を打設して境界ブロックの脚部により形成された中間の隙間部４を含め、捨てコンクリート層13とその上のモルタル層19及び巻立てコンクリート層14の部分を一挙に打設するのである。
【００１１】
図４，図５は、脚部の、ブロックの長手方向一端に設けた張出した段部３に対して上下方向にメネジ構造のインサート15を埋設し、それに高さ調整用ボルト16を上方から調整可能に螺入している。従前の高さ調整用ボルトは下方からねじ込んでいたので、調整は側方からでしかできないため作業性が悪かった。他端下面には張出した段部３に載置する下面の切欠部７を設けている。高さ調整用ボルト16の下端は螺入による埋没を避けるために鉄板17やコンクリートブロックを置いておくとよい。この例では突出する高さ調整用ボルト16のボルト頭を収容する収容穴18を下面の切欠部７に設けているが、ボルト頭を収容する陥没穴を張出した段部３に設けてもよい。
【００１２】
【発明の効果】
本発明の境界ブロック及びその施工方法は以上詳述した通りであって、基礎コンクリートとなる捨てコンクリートとその上面の高さ調整モルタル層及び巻立てコンクリートが同時に打設できる。また、高さ調整モルタルを必要としない。高さ調整ボルトが刺し筋代わりになり、歩車道境界ブロックと現場打コンクリートの一体化ができて、より強固な構造物が形成される。更に、天候に左右されず、工事の平準化と工期の短縮に寄与することができる。高さ調整用ボルトを設けたものにあっては、上方からボルトの螺入による高さ調節ができるので作業性がよい。
【図面の簡単な説明】
【図１】  本発明の境界ブロックの一脚の例の斜視図である。
【図２】  同境界ブロックのコンクリート施工時の正面図である。
【図３】  本発明の境界ブロックの継目部分の側面図である。
【図４】  高さ調整ボルト使用の他の本発明の境界ブロックの斜視図である。
【図５】  同境界ブロックの継目部分の側面図である。
【符号の説明】
１  境界ブロック
２  脚部
３  段部
４  隙間部
５  水糸
６  クサビ
７  切欠部
10  基礎施工面
11  型枠
12  コンクリート
13  捨てコンクリート層
14  巻立てコンクリート層
16  高さ調整用ボルト
【図１】
0003705552.tif 000002
【図２】
0003705552.tif 000003
【図３】
0003705552.tif 000004
【図４】
0003705552.tif 000005
【図５】
0003705552.tif 000006